(57)【要約】【課題】より開放感を有する環境でユーザーが画像を観察することができるプロジェクターを提供する。【解決手段】プロジェクター１は、光源および光源から射出された光を変調する光変調装置を備える本体部１Ａと、本体部１Ａから突出し、本体部１Ａから射出された光を投写する投写光学装置１Ｂと、を備える。投写光学装置１Ｂは、複数のレンズと、複数のレンズを収納するレンズ筐体５と、を備え、レンズ筐体５は、本体部１Ａから射出された光の光軸に交差する第１方向（Ｚ方向）において、本体部１Ａから離間する第３収納部５３を有し、第３収納部５３は、複数のレンズのうち最も光射出側に配置される射出側レンズ４３１を収納する。【選択図】図２
2017207688.tif 000002
【特許請求の範囲】
【請求項１】
画像を投写面に投写するプロジェクターであって、
光源および前記光源から射出された光を変調する光変調装置を備える本体部と、
前記本体部から突出し、前記本体部から射出された光を投写する投写光学装置と、
を備え、
前記投写光学装置は、
複数のレンズと、
前記複数のレンズを収納するレンズ筐体と、
を備え、
前記レンズ筐体は、前記本体部から射出された光の光軸に交差する第１方向において、前記本体部から離間する離間部を有し、
前記離間部は、前記複数のレンズのうち最も光射出側に配置される射出側レンズを収納することを特徴とするプロジェクター。
【請求項２】
請求項１に記載のプロジェクターであって、
前記投写光学装置は、
前記本体部から射出された光を屈折させる第１光学系と、
前記第１光学系から射出された光を前記第１方向側に反射する第１反射部、および前記第１方向側に進行した光を前記本体部が射出する光の方向とは反対側となる第２方向側に反射する第２反射部を有する第２光学系と、
前記射出側レンズを有し、前記第２光学系から射出された光を屈折させる第３光学系と、
を備え、
前記離間部は、前記第３光学系を収納することを特徴とするプロジェクター。
【請求項３】
請求項１に記載のプロジェクターであって、
前記投写光学装置は、
前記本体部から射出された光を屈折させる第１光学系と、
前記第１光学系から射出された光を前記第１方向側に反射する反射部と、
前記射出側レンズを有し、前記反射部で反射した光を屈折させる第２光学系と、
を備えることを特徴とするプロジェクター。
【請求項４】
請求項１〜請求項３のいずれか一項に記載のプロジェクターであって、
前記投写光学装置は、前記射出側レンズを含むレンズ群を備え、
前記レンズ群は、入射された光を広角化して射出する広角化レンズ群であることを特徴とするプロジェクター。
【請求項５】
請求項１〜請求項４のいずれか一項に記載のプロジェクターであって、
当該プロジェクターは、
前記離間部に配置され、受光した光に応じた信号を出力する受光部と、
前記受光部の出力に応じて当該プロジェクターの動作を制御する制御部と、
を備えることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置にて変調された光を投写面に投写する投写光学装置と、を備えたプロジェクターが知られている。また、このプロジェクターを支持する装置を用いてホールや会議室等の天井等にプロジェクターを設置してホール内や会議室内の投写面に画像を投写できるように構成されたプロジェクターが提案されている（例えば、特許文献１参照）。
【０００３】
特許文献１に記載のプロジェクターは、筐体の底面部にＬ字状の挿入凹部を有する複数の突出部が並設されている。プロジェクターは、この挿入凹部に固定金具の板状部が挿入されて固定金具に支持され、この固定金具を介して天井に吊り下げられる。そして、プロジェクターは、天井の下方に配置された投写面に画像を投写する。
【先行技術文献】
【特許文献】
【０００４】
【特許文献１】特開２００８−２８６８７３号公報
【発明の概要】
【発明が解決しようとする課題】
【０００５】
しかしながら、特許文献１に記載のプロジェクターは、天井に吊り下げられた状態で、投写面が配置されたホール内や会議室内で画像を観察するユーザーに圧迫感を与えることや、室内の美観を損ねる恐れがある。特に、高輝度化や高解像度化の画像の投写のために大型化するプロジェクターにおいては、その圧迫感や美観の損失は顕著なものとなる。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、画像を投写面に投写するプロジェクターであって、光源および前記光源から射出された光を変調する光変調装置を備える本体部と、前記本体部から突出し、前記本体部から射出された光を投写する投写光学装置と、を備え、前記投写光学装置は、複数のレンズと、前記複数のレンズを収納するレンズ筐体と、を備え、前記レンズ筐体は、前記本体部から射出された光の光軸に交差する第１方向において、前記本体部から離間する離間部を有し、前記離間部は、前記複数のレンズのうち最も光射出側に配置される射出側レンズを収納することを特徴とする。
【０００８】
この構成によれば、投写光学装置は、射出側レンズを収納する離間部が本体部から離間して配設されている。これによって、本体部と離間部との間に仕切り部材を配置してプロジェクターを設置し、射出側レンズから投写面に画像を投写することができる。例えば、天井や室内の壁、あるいは天井や壁に並設される板状の部材等を仕切り部材として用いることで、仕切り部材によって仕切られた一方の空間（第１空間）に離間部を配置し、他方の空間（第２空間、天井裏や壁の内側等）に本体部を配置することができる。すなわち、プロジェクターは、投写面が配置された第１空間で画像を観察するユーザーに、本体部を視認させずに画像を投写することが可能となる。よって、ユーザーに圧迫感を与えることや、室内（第１空間）の美観の損失を抑えて設置され、より開放感を有する環境でユーザーが画像を観察することができるプロジェクターの提供が可能となる。特に、高輝度化や高解像度化の画像の投写のために大型化するプロジェクターにおいて顕著な効果を奏する。
【０００９】
［適用例２］上記適用例に係るプロジェクターにおいて、前記投写光学装置は、前記本体部から射出された光を屈折させる第１光学系と、前記第１光学系から射出された光を前記第１方向側に反射する第１反射部、および前記第１方向側に進行した光を前記本体部が射出する光の方向とは反対側となる第２方向側に反射する第２反射部を有する第２光学系と、前記射出側レンズを有し、前記第２光学系から射出された光を屈折させる第３光学系と、を備え、前記離間部は、前記第３光学系を収納することが好ましい。
【００１０】
この構成によれば、投写光学装置は、上述した光学系を備えているので、本体部から射出された光を屈曲させ、本体部が射出する光の方向とは反対側に配置された投写面に拡大した画像の投写が可能となる。また、本体部と離間部との間に仕切り部材を配置することで、本体部および投写光学装置の一部をユーザーに視認させずに画像の投写が可能となる。
したがって、ユーザーに圧迫感を与えることや、室内（第１空間）の美観の損失を抑えて設置され、本体部が射出する光の方向とは反対側に画像を投写するプロジェクターの提供が可能となる。
【００１１】
［適用例３］上記適用例に係るプロジェクターにおいて、前記投写光学装置は、前記本体部から射出された光を屈折させる第１光学系と、前記第１光学系から射出された光を前記第１方向側に反射する反射部と、前記射出側レンズを有し、前記反射部で反射した光を屈折させる第２光学系と、を備えることが好ましい。
【００１２】
この構成によれば、投写光学装置は、上述した光学系を備えているので、本体部から射出された光を屈曲させ、本体部が射出する光の方向に交差する方向に配置された投写面に拡大した画像の投写が可能となる。また、本体部と離間部との間に仕切り部材を配置することで、本体部および投写光学装置の一部をユーザーに視認させずに画像の投写が可能となる。
したがって、ユーザーに圧迫感を与えることや、室内（第１空間）の美観の損失を抑えて設置され、本体部が射出する光の方向に交差する方向側に画像を投写するプロジェクターの提供が可能となる。
【００１３】
［適用例４］上記適用例に係るプロジェクターにおいて、前記投写光学装置は、前記射出側レンズを含むレンズ群を備え、前記レンズ群は、入射された光を広角化して射出する広角化レンズ群であることが好ましい。
【００１４】
この構成によれば、投写面に近い位置から拡大投写するプロジェクターを提供することが可能となる。これによって、投写面に対し、画像を観察するユーザーより近い位置に配置されるプロジェクターを構成することが可能となる。よって、本体部および投写光学装置の一部をユーザーに視認さないことにより、ユーザーがプロジェクターの位置を認識しにくい構成であっても、プロジェクターと投写面との間に例えばユーザーが侵入してプロジェクターからの光が遮られることを回避することが可能となる。よって、ユーザーが画像を観察する位置の自由度を高めたプロジェクターの提供が可能となる。
【００１５】
［適用例５］上記適用例に係るプロジェクターにおいて、当該プロジェクターは、前記離間部に配置され、受光した光に応じた信号を出力する受光部と、前記受光部の出力に応じて当該プロジェクターの動作を制御する制御部と、を備えることが好ましい。
【００１６】
この構成によれば、仕切り部材を用いて、離間部が第１空間に配置され、本体部が第２空間に配置されるように、プロジェクターが設置された場合、受光部は、第１空間に配置される。すなわち、プロジェクターは、本体部が仕切り部材によって隠されるように設置された場合であっても、受光部による光の検出、例えば、ユーザーのリモコン操作による光信号を受信することや、第１空間の明るさの検出等が可能となる。そして、プロジェクターは、上述した制御部を備えているので、例えば、ユーザーのリモコン操作に応じた動作や、第１空間の明るさに応じた画像の投写等が可能となる。よって、ユーザーに圧迫感を与えることを抑えて設置され、使い勝手や画像の視認性を向上させたプロジェクターの提供が可能となる。
【図面の簡単な説明】
【００１７】
【図１】第１実施形態のプロジェクターの主な構成を説明するための模式図。
【図２】第１実施形態のプロジェクターの他の使用形態の一例を示す模式図。
【図３】第１実施形態の本体部の主な構成を示す模式図。
【図４】第２実施形態のプロジェクターの主な構成を説明するための模式図。
【発明を実施するための形態】
【００１８】
（第１実施形態）
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置された状態や、天井や壁部に支持具を介して設置される状態が可能に構成されている。
【００１９】
〔プロジェクターの主な構成〕
図１は、本実施形態のプロジェクター１の主な構成を説明するための模式図である。また、図１は、プロジェクター１の使用形態の一例を示す模式図であり、机上Ｔａに載置された状態（据え置き状態）を示す図である。図２は、プロジェクター１の他の使用形態の一例を示す模式図であり、支持具Ｍｔを介して天井Ｃｅに設置された状態（天吊り状態）を示す図である。
プロジェクター１は、図１に示すように、光学ユニット３を有する本体部１Ａ、および本体部１Ａから突出する投写光学装置１Ｂを備えている。
【００２０】
本体部１Ａは、後で詳細に説明するが、光源３１１および光変調装置３５１等を備え、光源３１１から射出された光を画像情報に応じて変調し、投写光学装置１Ｂに射出する。
投写光学装置１Ｂは、後で詳細に説明するが、複数のレンズを備え、本体部１Ａから射集された光をスクリーン等の投写面Ｓｃ（図２参照）に投写する。
【００２１】
プロジェクター１は、図２に示すように、天吊り状態において、据え置き状態の姿勢（据え置き姿勢）から上下が反転された姿勢（天吊り姿勢）となる。そして、プロジェクター１は、天吊り状態において、天井Ｃｅに並設された板状の仕切り部材Ｐａが用いられることによって、本体部１Ａおよび投写光学装置１Ｂの一部を隠すことができるように構成されている。なお、説明の便宜上、本体部１Ａから射出された光の方向を＋Ｘ方向（前方）、Ｘ方向に直交し、天吊り姿勢のプロジェクター１において、鉛直方向の上方を＋Ｚ方向、投写面Ｓｃに対向する側から見たプロジェクター１の右方を＋Ｙ方向として記載する。
【００２２】
〔本体部の構成〕
図３は、本体部１Ａの主な構成を示す模式図である。
本体部１Ａは、図３に示すように、外装筐体２、外装筐体２内に収納される制御部６、光学ユニット３、および投写光学装置１Ｂに配置されるリモコン受光部７を備えている。また、図示は省略するが、本体部１Ａは、光学ユニット３の光源装置３１や制御部６等に電力を供給する電源装置、および光学ユニット３や電源装置を冷却する冷却装置を備える。
【００２３】
外装筐体２は、合成樹脂製の部材が複数組み合わされて構成されており、図１、図２に示すように、前側（＋Ｘ側）を形成する前面部２Ｆ、後側（−Ｘ側）を形成する背面部２Ｂ、天吊り姿勢において、上側（＋Ｚ側）、下側（−Ｚ側）をそれぞれ形成する上面部２Ｕ、下面部２Ｄ等を有している。
【００２４】
前面部２Ｆには、図１に示すように、窪み部２１が設けられている。窪み部２１には、上下方向の略中央に、前後方向に貫通する貫通孔（図示省略）が形成されている。投写光学装置１Ｂは、一部（後述する第２収納部５２の一部）が窪み部２１に挿入され、一部（後述する第１収納部５１の円筒部５１１、図１参照）が貫通孔に挿通されて、本体部１Ａに装着される。
【００２５】
上面部２Ｕには、据え置き状態（図１参照）で机上等に当接し、プロジェクター１を支持する脚部２Ｕｆ、および天吊り状態（図２参照）で支持具Ｍｔが結合される結合部（図示省略）が設けられている。なお、図示は省略するが、外装筐体２には、外気を取り込む吸気口や、外装筐体２内部の温まった空気を外部に排気する排気口等が設けられている。
【００２６】
制御部６は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
光学ユニット３は、制御部６による制御の下、光源装置３１から射出された光を光学的に処理し、投写光学装置１Ｂに射出する。
光学ユニット３は、図３に示すように、光源装置３１に加え、インテグレーター照明光学系３２、色分離光学系３３、リレー光学系３４、光学装置３５、およびこれらの光学部品を光路上の所定位置に配置する光学部品用筐体３７を備える。
【００２８】
光源装置３１は、超高圧水銀ランプやメタルハライドランプ等からなる放電型の光源３１１、およびリフレクター３１２等を備える。光源装置３１は、光源３１１から射出された光をリフレクター３１２にて反射し、インテグレーター照明光学系３２に向けて射出する。
【００２９】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリックス状に配列された構成を有しており、光源装置３１から射出された光を複数の部分光に分割する。第２レンズアレイ３２２は、第１レンズアレイ３２１と略同様の構成を有しており、重畳レンズ３２４と共に、部分光を光変調装置３５１の表面に略重畳させる。偏光変換素子３２３は、第２レンズアレイ３２２から射出されたランダム光を光変調装置で利用可能な略１種類の偏光光に揃える機能を有している。
【００３０】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３１】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００３２】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。
光変調装置３５１は、図示しない複数の微小画素がマトリックス状に形成された矩形状の画像形成領域を有する。各画素が画像情報に応じた光透過率に設定され、画像形成領域内には、表示画像が形成される。そして、各色光は、光変調装置３５１にて変調された後、クロスダイクロイックプリズム３５２に射出される。
【００３３】
クロスダイクロイックプリズム３５２は、４つの直角プリズムを貼り合わせた平面視略正方形状をなし、直角プリズム同士を貼り合わせた界面には、２つの誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００３４】
リモコン受光部７は、受光部に相当し、プロジェクター１を遠隔操作するためのリモートコントローラー（リモコン、図示省略）から発せられる光信号（赤外線による操作信号）を受光し、受光した光に応じた信号を制御部６に出力する。
リモコン受光部７は、図１、図２に示すように、投写光学装置１Ｂの後述するレンズ筐体５内に配置され、図示しないケーブルを介して制御部６に接続されている。制御部６は、リモコン受光部７の出力に応じてプロジェクター１の動作を制御する。
【００３５】
〔投写光学装置の構成〕
投写光学装置１Ｂは、本体部１Ａに着脱可能に構成され、クロスダイクロイックプリズム３５２にて合成された光を、プロジェクター１の後側（−Ｘ側）に配置された投写面Ｓｃに拡大投写する。
投写光学装置１Ｂは、図１、図２に示すように、第１光学系４１、第２光学系４２、および第３光学系４３と、これらの光学系を収納するレンズ筐体５とを備え、概略Ｕ字状に形成されている。
投写光学装置１Ｂは、図１に示すように、クロスダイクロイックプリズム３５２から射出された光が第１光学系４１に入射し、第３光学系４３が外装筐体２（下面部２Ｄ）の−Ｚ側に位置するように配置される。
【００３６】
第１光学系４１は、複数のレンズを有し（図１では１つのレンズを示す）、クロスダイクロイックプリズム３５２から射出された光を屈折させる。
第２光学系４２は、第１反射部としての反射ミラー４２１、および第２反射部としての反射ミラー４２２を有している。
反射ミラー４２１は、第１光学系４１の前方（＋Ｘ側）に配置され、第１光学系４１から射出された光を−Ｚ側に反射する。−Ｚ方向は、本体部１Ａから射出された光の光軸Ａｘに交差する方向（本実施形態では、直交する方向）であり、第１方向に相当する。
【００３７】
反射ミラー４２２は、−Ｚ側に進行した光を本体部１Ａが射出する光の方向（＋Ｘ方向）とは反対側となる−Ｘ側に反射する。−Ｘ方向は、第２方向に相当する。なお、第２光学系４２は、反射ミラー４２１，４２２に加え、レンズを有する構成であってもよい。
【００３８】
第３光学系４３は、複数のレンズを有し（図１では１つのレンズ（後述する射出側レンズ４３１）を示す）、第２光学系４２から射出された光を屈折させる。第３光学系４３は、複数のレンズのうち最も光射出側に配置される射出側レンズ４３１を備える。そして、第３光学系４３は、射出側レンズ４３１を含む広角化レンズ群を備える。広角化レンズ群は、第２光学系４２から射出された光を広角化し、Ｘ方向に直交する投写面Ｓｃ（図２参照）に対して−Ｚ向きにあおり投写を行う。すなわち、投写光学装置１Ｂは、図２に示すように、プロジェクター１の後側（−Ｘ側）で上下方向（Ｚ方向）において本体部１Ａの下方（−Ｚ方向）に配置された投写面Ｓｃに画像を投写する。また、投写光学装置１Ｂは、投写面Ｓｃに近い位置での拡大投写が可能で、プロジェクター１は、投写光学装置１Ｂが装着されることで、短焦点プロジェクターとして機能する。
【００３９】
レンズ筐体５は、図１に示すように、第１光学系４１を収納する第１収納部５１、第２光学系４２を収納する第２収納部５２、および第３光学系４３を収納する第３収納部５３を有している。
第１収納部５１は、図１に示すように、光入射側に円筒部５１１を有し、この円筒部５１１が前述した窪み部２１の貫通孔から挿入される。そして、この円筒部５１１の外周には、円周方向に断続的に設けられた複数の突起（図示省略）が形成されている。投写光学装置１Ｂは、この複数の突起が本体部１Ａに設けられた着脱機構（図示省略）に係合して本体部１Ａに装着される。また、投写光学装置１Ｂは、着脱機構が操作されて、複数の突起と着脱機構との係合が解除されて本体部１Ａからの取り外しが可能となる。
【００４０】
第２収納部５２は、図１に示すように、Ｚ方向に沿って延出し、反射ミラー４２１，４２２それぞれの反射面とは反対側に設けられた傾斜壁部５２１，５２２を有している。
反射ミラー４２１の外側に設けられた傾斜壁部５２１は、図１に示すように、机上Ｔａから遠ざかる程、第１光学系４１から遠ざかるように傾斜している。反射ミラー４２２の外側に設けられた傾斜壁部５２２は、図１に示すように、机上Ｔａから遠ざかる程、第３光学系４３に近づくように傾斜している。
【００４１】
傾斜壁部５２２には、開口部が設けられており、この開口部は、フィルター部材７Ｆによって閉塞されている。フィルター部材７Ｆは、赤外線を透過し、可視光をカットする板状の部材であり、リモコン受光部７は、このフィルター部材７Ｆの内側に配置されている。すなわち、リモコン受光部７は、リモコンから発せられ、フィルター部材７Ｆを透過した赤外線による光信号を受信する。また、リモコン受光部７は、天吊り状態（図２参照）で指向特性の中心軸が下方斜め（＋Ｘ方向と−Ｚ方向との間）に沿うように配置されている。
【００４２】
第３収納部５３は、反射ミラー４２２の−Ｘ側に設けられ、Ｘ方向に沿って延出している。第３収納部５３および第２収納部５２の反射ミラー４２２を収納する部位（以下、「先端側収納部５Ｐ」という）は、Ｚ方向、すなわち第１方向において、本体部１Ａと離間して配置され、離間部に相当する。リモコン受光部７は、先端側収納部５Ｐ内に配置されている。ここで、先端側収納部５Ｐと本体部１Ａとが離間しているとは、図２に示すように、先端側収納部５Ｐと本体部１Ａとの間に板状の仕切り部材Ｐａが配置可能な距離で離間していることをいう。
【００４３】
このように、投写光学装置１Ｂは、概略Ｕ字状に形成され、Ｚ方向において、先端側収納部５Ｐが本体部１Ａと離間して本体部１Ａに装着される。
そして、プロジェクター１は、図２に示すように、天井Ｃｅに設置され、先端側収納部５Ｐと本体部１Ａとの間に仕切り部材Ｐａが配置された状態では、先端側収納部５Ｐが仕切り部材Ｐａの下方の空間（第１空間１０Ｓ）に位置し、本体部１Ａおよび第１収納部５１と、第２収納部５２の一部とが仕切り部材Ｐａの上方の空間（第２空間２０Ｓ）に位置して配置される。
第１空間１０Ｓには、投写面Ｓｃが配置されるので、ユーザー（投写面Ｓｃに投写される画像の観察者）も第１空間１０Ｓで画像を観察する。すなわち、プロジェクター１は、第２空間２０Ｓに位置する本体部１Ａ等がユーザーから見えないように配置される。
【００４４】
なお、仕切り部材Ｐａは、図２に示すように、第２収納部５２の＋Ｘ側に位置する第１部材Ｐａ１、および第２収納部５２の−Ｘ側に位置する第２部材Ｐａ２を有している。そして、第１部材Ｐａ１と第２部材Ｐａ２との間には第２収納部５２が配置可能な開口部Ｐａｈが設けられている。また、第２部材Ｐａ２は、天井Ｃｅに沿う方向にスライド可能に構成されており、プロジェクター１の天井Ｃｅへの取り付け、取り外しは、この第２部材Ｐａ２がスライドされて行われる。
【００４５】
また、リモコン受光部７は、先端側収納部５Ｐに配置されているので、第１空間１０Ｓに位置する。さらに、リモコン受光部７は、傾斜壁部５２２内で指向特性の中心軸が下方斜めに沿うように配置されているので、第３収納部５３の下方や、投写面Ｓｃから離れた位置で発せられるリモコンの光信号を受信することができる。
【００４６】
以上説明したように、本実施形態によれば、以下の効果を得ることができる。
（１）投写光学装置１Ｂは、射出側レンズ４３１を収納する先端側収納部５Ｐ（離間部）が本体部１Ａから離間して配設されている。これによって、天吊り状態で仕切り部材Ｐａを用いることによって、本体部１Ａおよび投写光学装置１Ｂの一部を隠すことができる。よって、ユーザーに圧迫感を与えることや、室内（第１空間１０Ｓ）の美観の損失を抑えて設置され、より開放感を有する環境でユーザーが画像を観察することができるプロジェクター１の提供が可能となる。特に、高輝度化や高解像度化の画像の投写のために大型化するプロジェクターにおいて顕著な効果を奏する。
【００４７】
（２）投写光学装置１Ｂは、概略Ｕ字状に配置された第１光学系４１〜第３光学系４３を備えているので、本体部１Ａから射出された光を屈曲させ、本体部１Ａが射出する光の方向とは反対側に配置された投写面Ｓｃに拡大した画像の投写が可能となる。
また、投写光学装置１Ｂは、第３光学系４３が入射する光を広角化させるレンズを有しているので、投写面Ｓｃに近い位置からの拡大投写が可能となる。
また、投写面Ｓｃに対し、画像を観察するユーザーより近い位置に配置されるプロジェクター１を構成することが可能となる。よって、本体部１Ａおよび投写光学装置１Ｂの一部をユーザーに視認さないことにより、ユーザーがプロジェクター１の位置を認識しにくい構成であっても、プロジェクター１と投写面Ｓｃとの間にユーザーが侵入してプロジェクター１からの光が遮られることを回避することが可能となる。よって、ユーザーが画像を観察する位置の自由度を高めたプロジェクターの提供が可能となる。
また、プロジェクター１は、投写光学装置１Ｂが概略Ｕ字状に形成されているので、前後方向（Ｘ方向）の小型化が可能となる。
【００４８】
（３）プロジェクター１は、外装筐体２の窪み部２１に第２収納部５２の一部が挿入されるように構成されている。これによって、前後方向（Ｘ方向）におけるプロジェクター１のさらなる小型化が可能となる。また、本体部１Ａと投写光学装置１Ｂとが一体化されたプロジェクター１として視認させることが可能なので、プロジェクター１の外観の向上が可能となる。
【００４９】
（４）プロジェクター１は、リモコン受光部７が先端側収納部５Ｐ内に配置されている。これによって、本体部１Ａが仕切り部材Ｐａによって隠されるように設置された場合であっても、ユーザーのリモコン操作による光信号を受信することができる。よって、ユーザーに圧迫感を与えることを抑えて設置され、使い勝手が良好なプロジェクター１の提供が可能となる。
さらに、リモコン受光部７は、天吊り状態において、指向特性の中心軸が下方斜めに沿うように配置されているので、ユーザーの様々な位置からのリモコン操作による光信号を受光することが可能となる。
【００５０】
（第２実施形態）
以下、第２実施形態に係るプロジェクター１００について、図面を参照して説明する。以下の説明では、第１実施形態と同様の構成要素には、同一符号を付し、その詳細な説明は省略または簡略化する。
図４は、本実施形態のプロジェクター１００の主な構成を説明するための模式図であり、プロジェクター１００の使用形態の一例を示す図である。具体的に、図４は、支持具Ｍｔを介して室内の壁部Ｗａに支持された状態（壁掛け状態）を示す図である。
本実施形態のプロジェクター１００は、図４に示すように、第１実施形態の投写光学装置１Ｂとは異なる投写光学装置１００Ｂを備える。また、本実施形態のプロジェクター１００の本体部１００Ａは、受光部としてリモコン受光部７（図４では図示省略）に加え、撮像部１０７をさらに備えている。
【００５１】
本実施形態のプロジェクター１００は、図４に示すように、室内の壁部Ｗａの裏側に本体部１００Ａが固定され、壁部Ｗａに設けられた開口部Ｗａｈから投写光学装置１００Ｂの一部が突出して設置できるように構成されている。そして、プロジェクター１００は、壁部Ｗａに対向する位置に配置された投写面Ｓｃに画像を投写する。なお、説明の便宜上、Ｘ方向、Ｙ方向およびＺ方向については、本実施形態の本体部１００Ａと第１実施形態の本体部１Ａとが対応するように記載する。すわなち、本体部１００Ａから射出された光の方向を＋Ｘ方向、壁部Ｗａから投写面Ｓｃに向かう方向を−Ｚ方向、投写面Ｓｃに対向する側から見たプロジェクター１の右側を＋Ｙ側として記載する。
【００５２】
投写光学装置１００Ｂは、図４に示すように、第１光学系１４１、反射部としての反射ミラー１４Ｒ、および第２光学系１４２と、これらの光学系を収納するレンズ筐体１５０とを備える。
第１光学系１４１は、複数のレンズを有し（図４では１つのレンズを示す）、クロスダイクロイックプリズム３５２から射出された光を屈折させる。
【００５３】
反射ミラー１４Ｒは、第１光学系１４１の＋Ｘ側に配置され、第１光学系１４１から射出された光を−Ｚ側に反射する。−Ｚ方向は、第１実施形態と同様に、本体部１００Ａから射出された光の光軸Ａｘに交差する方向（本実施形態では、直交する方向）であり、第１方向に相当する。
【００５４】
第２光学系１４２は、複数のレンズ（図４では１つのレンズ（射出側レンズ１４２２）を示す）を備え、反射ミラー１４Ｒで反射した光を屈折させる。
第２光学系１４２は、複数のレンズのうち最も光射出側に配置される射出側レンズ１４２２を備え、反射ミラー１４Ｒで反射された光を広角化して−Ｘ向きにあおり投写を行う。すなわち、投写光学装置１００Ｂは、図４に示すように、プロジェクター１００の−Ｚ側に配置され、Ｚ方向に直交する投写面Ｓｃに画像を投写する。また、投写光学装置１００Ｂは、投写面Ｓｃに近い位置での拡大投写が可能で、プロジェクター１００は、投写光学装置１００Ｂが装着されることで、短焦点プロジェクターとして機能する。
【００５５】
レンズ筐体１５０は、図４に示すように、第１光学系１４１を収納する第１収納部１５１と、反射ミラー１４Ｒおよび第２光学系１４２を収納する第２収納部１５２とを有している。
第２収納部１５２は、図４に示すように、Ｚ方向に沿って延出しており、射出側レンズ１４２２を収納する先端側収納部１５０Ｐを有している。
先端側収納部１５０Ｐは、Ｚ方向、すなわち第１方向において、本体部１００Ａと離間して配置され、離間部に相当する。
【００５６】
撮像部１０７は、例えば、ＣＣＤ（Charge Coupled Device）やＣＭＯＳ（Complementary Metal Oxide Semiconductor）等の撮像素子（図示省略）を備え、図４に示すように、先端側収納部１５０Ｐ内の射出側レンズ１４２２の−Ｘ側に配置される。
撮像部１０７は、被写体としての投写面Ｓｃを撮影し、撮影した画像に応じた情報を制御部６に出力する。制御部６は、撮像部１０７の出力に基づいて、画像の調整や変更等を行う。例えば、撮像部１０７は、投写面Ｓｃに投写された台形状に歪んだ画像の撮影や、投写面Ｓｃ上で操作された指示具（例えば、電子ペン等）から発せられる赤外光を検出する。制御部６は、撮像部１０７の出力に基づいて、台形状に歪んだ画像の調整や、画像情報に指示具の軌跡が重畳された重畳画像を投写面Ｓｃに投写させる指示等を行う。
なお、図４では図示しないリモコン受光部７は、先端側収納部１５０Ｐ内に配置されている。
【００５７】
このように、投写光学装置１００Ｂは、概略Ｌ字状に形成され、射出側レンズ１４２２および撮像部１０７を収納する先端側収納部１５０Ｐが、Ｚ方向において、本体部１００Ａと離間して本体部１００Ａに装着される。
そして、プロジェクター１００は、図４に示すように、本体部１００Ａが支持具Ｍｔを介して壁部Ｗａの裏側に固定され、開口部Ｗａｈから先端側収納部１５０Ｐが壁部Ｗａの表側に突出して配置される。
壁部Ｗａの表側の空間には、投写面Ｓｃが配置されるので、プロジェクター１００は、ユーザー（投写面Ｓｃに投写される画像の観察者）から本体部１００Ａが見えないように配置される。
撮像部１０７は、先端側収納部１５０Ｐ内に配置されているので、プロジェクター１００が壁部Ｗａに設置された状態でも、投写面Ｓｃの撮影が可能となる。
【００５８】
以上説明したように、本実施形態によれば、以下の効果を得ることができる。
（１）投写光学装置１００Ｂは、射出側レンズ１４２２を収納する先端側収納部１５０Ｐ（離間部）が本体部１００Ａから離間して配設されている。これによって、壁掛け状態において、本体部１００Ａおよび投写光学装置１００Ｂの一部を隠すことができる。よって、ユーザーに圧迫感を与えることや、室内の美観の損失を抑えて設置され、より開放感を有する環境でユーザーが画像を観察することができるプロジェクター１００の提供が可能となる。
【００５９】
（２）投写光学装置１００Ｂは、概略Ｌ字状に配置された光学系を備えているので、本体部１００Ａから射出された光を屈曲させ、本体部１００Ａが射出する光の方向に交差する方向に配置された投写面Ｓｃに拡大した画像の投写が可能となる。
また、投写光学装置１００Ｂは、第２光学系１４２が入射する光を広角化させるレンズを有しているので、投写面Ｓｃに近い位置からの拡大投写が可能となる。
【００６０】
（３）プロジェクター１００は、先端側収納部１５０Ｐ内に配置された撮像部１０７を備えているので、本体部１００Ａが壁部Ｗａによって隠されるように設置された場合であっても、投写面Ｓｃを撮影し、この撮影した情報に基づいて、画像の調整や変更等を行うことができる。
【００６１】
（変形例）
なお、前記実施形態は、以下のように変更してもよい。
第１実施形態では、プロジェクター１の天吊り状態として本体部１Ａが天井Ｃｅの表面に取り付けられる態様を例示したが、本体部１Ａが天井Ｃｅの裏面に取り付けられ、天井Ｃｅが先端側収納部５Ｐと本体部１Ａとの間に配置される仕切り部材として構成される態様であってもよい。
また、第１実施形態のプロジェクター１が壁部Ｗａに設置される態様であってもよい。この構成の場合、壁部Ｗａや壁部Ｗａに並設される仕切り部材を用いて本体部１Ａを隠し、床や床に並設される部材を投写面とする投写が可能となる。
【００６２】
第２実施形態では、プロジェクター１００の壁掛け状態として本体部１００Ａが壁部Ｗａの裏面に取り付けられる態様を例示したが、本体部１００Ａが壁部Ｗａの表面に取り付けられ、先端側収納部１５０Ｐと本体部１００Ａとの間に仕切り部材を配置する態様であってもよい。
また、第２実施形態のプロジェクター１００が天井Ｃｅに設置される態様であってもよい。この構成の場合、天井Ｃｅや天井Ｃｅに並設される仕切り部材を用いて本体部１００Ａを隠し、床や床に並設される部材を投写面とする投写が可能となる。
【００６３】
プロジェクター１，１００を据え置き姿勢で配置し、床面や床面に並設される部材を仕切り部材とし本体部１Ａ，１００Ａを隠す態様であってもよい。
また、前述したプロジェクター１，１００の姿勢以外の姿勢でプロジェクター１，１００を配置し、仕切り部材を用いて本体部１Ａ，１００Ａを隠す態様であってもよい。
【００６４】
第１実施形態のプロジェクター１が受光部としての撮像部１０７を備える構成であってもよい。
前記実施形態では、受光部としてリモコン受光部７、撮像部１０７を例示したが、受光する光に応じた信号を出力する素子であればこれに限らない。例えば、受光部として他に照度を検出する照度センサー等を例示することができる。この構成によれば、プロジェクター１，１００は、室内（第１空間１０Ｓ）の明るさに応じた画像の投写が可能となるので、ユーザーにより鮮明な画像を提供することが可能となる。
【００６５】
前記実施形態のプロジェクター１は、光変調装置３５１として透過型の液晶パネルを用いているが、反射型の液晶パネルを利用したものであってもよい。
また、前記実施形態の光変調装置３５１は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００６６】
前記実施形態の光源装置３１は、放電型の光源３１１を採用しているが、その他の方式の光源や発光ダイオード、レーザー等の固体光源で構成してもよい。
【符号の説明】
【００６７】
１，１００…プロジェクター、１Ａ，１００Ａ…本体部、１Ｂ，１００Ｂ…投写光学装置、２…外装筐体、３…光学ユニット、５，１５０…レンズ筐体、５Ｐ，１５０Ｐ…先端側収納部（離間部）、６…制御部、７…リモコン受光部（受光部）、３１…光源装置、４１，１４１…第１光学系、４２，１４２…第２光学系、４３…第３光学系、１０７…撮像部（受光部）、３１１…光源、３５１，３５１Ｂ，３５１Ｇ，３５１Ｒ…光変調装置、４２１…反射ミラー（第１反射部）、４２２…反射ミラー（第２反射部）、４３１，１４２２…射出側レンズ、１４Ｒ…反射ミラー（反射部）、Ａｘ…光軸、Ｓｃ…投写面。
【図１】
2017207688.tif 000003
【図２】
2017207688.tif 000004
【図３】
2017207688.tif 000005
【図４】
2017207688.tif 000006